(57)【要約】      （修正有）【課題】誰もが簡単に着用でき、かつ、着物本来の優美さを失わないデザイン性に優れた襟なし二部式着物の提供する。【解決手段】左右一対の小袖３０，３０を備える襟なしの上側着衣１２と、巻きスカート状の下側着衣３２とで構成する。上側着衣１２は、表面１２ａに帯状に付設された裾部１８を備えるとともに、右上前身頃１３側には、上後身頃１５との境界位置にある裾部１８から同じ幅で右上衽１６方向へと引き出された右帯紐１９と、右上衽１６の裾部１８の長さ方向での開放端２０から引き出された右細紐２１とを配する。また、左上前身頃１４側には、左上衽１７の裾部１８の長さ方向での開放端２２同じ幅で引き出されて着用時に右帯紐１９と結ばれる左帯紐２３と、上後身頃１５との境界に位置する裏面１２ｂ側から引き出されて着用時に右細紐２１と結ばれる適宜長さの左細紐２４とを備える。【選択図】図１
0003173378.tif 000002
【実用新案登録請求の範囲】
【請求項１】
襟なしの右上前身頃、左上前身頃および上後身頃と、前記右上前身頃に付設された右上衽と、前記左上前身頃に付設された左上衽と、丸みを帯びた左右一対の小袖とからなる上側着衣と、巻きスカート状の下側着衣とで構成され、
少なくとも前記上側着衣は、その下縁部に前記右上衽から前記右上前身頃と前記上後身頃と前記左上前身頃とを経て前記左上衽へと至る適宜幅の帯状に付設された裾部を備えるとともに、
前記右上前身頃側には、前記上後身頃との境界位置にある前記裾部から該裾部と同じ幅で前記右上衽方向へと引き出された適宜長さの右帯紐と、前記右上衽における前記裾部の長さ方向での開放端から前記左上衽方向へと引き出された適宜長さの右細紐とを具備させ、
前記左上前身頃側には、前記左上衽における前記裾部の長さ方向での開放端から該裾部と同じ幅で前記右帯紐方向へと引き出されて着用時に該右帯紐と結ばれる適宜長さの左帯紐と、前記裾部の下縁から１４．０〜１６．０ｃｍ上方に位置する前記上後身頃との境界に位置する裏面側から前記右細紐方向に引き出されて着用時に該右細紐と結ばれる適宜長さの左細紐とを具備させたことを特徴とする襟なし二部式着物。
【請求項２】
前記右帯紐と前記左帯紐とは、ともに紐幅が３．０〜４．０ｃｍで、６５．０〜７５．０ｃｍの長さとし、前記右細紐と前記左細紐とは、ともに紐幅が１．３〜１．７ｃｍで、２７．０〜３２．０ｃｍの長さとした請求項１に記載の襟なし二部式着物。
【請求項３】
前記上側着衣における前記右上前身頃と前記左上前身頃とは、前記裾部をそれぞれの長さ方向での開放端側に向けて前傾させた前下がり部を形成して、着用時における前記右上前身頃と前記左上前身頃とにゆとり幅を付与した請求項１または２に記載の襟なし二部式着物。
【請求項４】
前記上側着衣における前記上後身頃は、着用時に首回りが位置する上縁部にその周辺が見返しで裏打ちされた凹部を設けた請求項１ないし３のいずれかに記載の襟なし二部式着物。
【請求項５】
前記下側着衣は、表面を裏側にして裏面を表側として展開した際にその中央部に位置する下後身頃と、該下後身頃の左方に位置する右下前身頃と、前記下後身頃の右方に配置する左下前身頃と、前記右下前身頃の左方に位置する右下衽と、前記左下前身頃の右方に位置する左下衽と備え、該左下衽の縦寸側の開放縁を前記下後身頃と前記右下前身頃との境界位置よりもやや前記下後身頃寄りの縦寸方向に沿うように位置させての巻きスカート形状の保持と簡易着脱とを可能とすべく、その胴回り部にゴム材を縫い付けて伸縮ギャザー部を形成した請求項１ないし４のいずれかに記載の襟なし二部式着物。
【請求項６】
前記下側着衣における前記下後身頃の横幅は、右下衽と右下前身頃との合計横幅と左下前身頃と左下衽との合計横幅との和よりも長くして形成した請求項５に記載の襟なし二部式着物。
【考案の詳細な説明】
【技術分野】
【０００１】
本考案は、和風の着物姿のもとで普段着として誰もが簡単に着用して楽しむことができる襟なし二部式着物に関する技術である。
【背景技術】
【０００２】
着物は、日本古来からの民族衣装として様々な場所で着用されてきており、その種類も着用の目的や着用者の年齢、着用場所などに応じ得るように種々の態様のもとで提供されてきている。
【０００３】
また、着物は、上から下に向けて流れるようにして着用することができるように上下一体となった一部式着物（対丈着物）が一般的であり、これを着用することにより着物本来の美しさを演出することができるようになっている。
【０００４】
しかし、一部式着物（対丈着物）は、着付けが難しいことから、洋服のように簡単に着用することはできず、一人で着付けができるようになるまでには相当程度の熟練を要するという問題があり、また、一人で着付けができるようになったとしても着付けを終えるまでにはどうしてもある程度の時間を要するという煩雑さがあった。
【０００５】
このため、一部式着物（対丈着物）にみられた上記問題を解消するものとしては、例えば、特許文献１に開示されている「簡易着装式和服」などのような上下が別体となった二部式着物が既に提案されている。
【先行技術文献】
【特許文献】
【０００６】
【特許文献１】特開２００４−１３７６０８号公報
【０００７】
すなわち、特許文献１に開示されている「簡易着装式和服」は、二分割された上衣と下衣とのうち、上衣は、袖、前後身頃、襟、お端折りで構成され、前身頃のお端折り下線と脇線との角度が９０〜１２０度、お端折り下線と襟縁部との角度は７０〜９０度をなすようにお端折り下線が襟に向かって下がっており、左右の前身頃に設けられている着脱可能な結合手段で相互位置が固定可能となって形成されている。
【０００８】
また、下衣は、後身頃部分と左右の前身頃部分とで構成され、着用者の胴を一巡して囲み、ゴムが内蔵されたウエスト部分からこれに続く後身頃縫い合わせ部分の一定の位置までスリットが設けられ、重ねられた左右の前身頃のうち、右前身頃部分がその縁部における裾線から上部の前記縁部中間位置までを開放し、その上方のウエスト部分までの右前身頃部分の縁部が左脇縫いに縫い止められて形成されている。
【０００９】
このため、特許文献１の「簡易着装式和服」によれば、紐を用いることなく簡易に着装できる和服として用いることができ、特に、下衣のウエスト部分の位置を着用者の胴部分の適当な位置に変えることにより、身長の高低に拘わらず、簡単に美しく着用できるとされている。また、下衣は、そのまま細身のシルエットを有する洋服のロングドレスとして着用することができるともされている。
【考案の概要】
【考案が解決しようとする課題】
【００１０】
しかし、特許文献１の「簡易着装式和服」による場合には、特許文献１の図１からも明らかなように、特許文献１の図２に示されているような分割式帯との組み合わせのもとで着用しない限り、何か締まりのない着姿となって中途半端なイメージを与えてしまうという不都合があった。
【００１１】
本考案者らは、日本の民族衣装ともいうべき着物を大多数の日本人が一人では着用できないという現状を打破して伝統を復活せんとする強い信念のもとで、誰もが普段着として気軽に、かつ、簡単に着用できるだけでなく、洋服のＶネックのような襟なしとすることで現代的などんな髪型にもマッチさせることができるほか、手持ちのアクセサリーで襟元のおしゃれを楽しむこともできるようにした二部式着物の開発に向けて鋭意努力を重ねてきた。
【００１２】
すなわち、本考案は、従来からある二部式着物にみられた上記課題に鑑み、現代の生活様式のなかでも誰もが簡単に着用でき、かつ、着物本来の優美さを失わないデザイン性に優れた襟なし二部式着物を提供することを目的とする。
【課題を解決するための手段】
【００１３】
本考案は、上記目的を達成すべくなされたものであり、襟なしの右上前身頃、左上前身頃および上後身頃と、前記右上前身頃に付設された右上衽と、前記左上前身頃に付設された左上衽と、丸みを帯びた左右一対の小袖とからなる上側着衣と、巻きスカート状の下側着衣とで構成され、少なくとも前記上側着衣は、その下縁部に前記右上衽から前記右上前身頃と前記上後身頃と前記左上前身頃とを経て前記左上衽へと至る適宜幅の帯状に付設された裾部を備えるとともに、前記右上前身頃側には、前記上後身頃との境界位置にある前記裾部から該裾部と同じ幅で前記右上衽方向へと引き出された適宜長さの右帯紐と、前記右上衽における前記裾部の長さ方向での開放端から前記左上衽方向へと引き出された適宜長さの右細紐とを具備させ、前記左上前身頃側には、前記左上衽における前記裾部の長さ方向での開放端から該裾部と同じ幅で前記右帯紐方向へと引き出されて着用時に該右帯紐と結ばれる適宜長さの左帯紐と、前記裾部の下縁から１４．０〜１６．０ｃｍ上方に位置する前記上後身頃との境界に位置する裏面側から前記右細紐方向に引き出されて着用時に該右細紐と結ばれる適宜長さの左細紐とを具備させたことを最も主要な特徴とする。
【００１４】
この場合、前記右帯紐と前記左帯紐とは、ともに紐幅が３．０〜４．０ｃｍで、６５．０〜７５．０ｃｍの長さとし、前記右細紐と前記左細紐とは、ともに紐幅が１．３〜１．７ｃｍで、２７．０〜３２．０ｃｍの長さとするのが望ましい。
【００１５】
また、前記上側着衣における前記右上前身頃と前記左上前身頃とは、前記裾部をそれぞれの長さ方向での開放端側に向けて前傾させた前下がり部を形成して、着用時における前記右上前身頃と前記左上前身頃とにゆとり幅を付与するのが好ましい。さらに、前記上側着衣における前記上後身頃は、着用時に首回りが位置する上縁部にその周辺が見返しで裏打ちされた凹部を設けておくのが望ましい。
【００１６】
一方、前記下側着衣は、表面を裏側にして裏面を表側として展開した際にその中央部に位置する下後身頃と、該下後身頃の左方に位置する右下前身頃と、前記下後身頃の右方に配置する左下前身頃と、前記右下前身頃の左方に位置する右下衽と、前記左下前身頃の右方に位置する左下衽と備え、該左下衽の縦寸側の開放縁を前記下後身頃と前記右下前身頃との境界位置よりもやや前記下後身頃寄りの縦寸方向に沿うように位置させての巻きスカート形状の保持と簡易着脱とを可能とすべく、その胴回り部にゴム材を縫い付けて伸縮ギャザー部を形成するのが望ましい。この場合、前記下側着衣における前記下後身頃の横幅は、前記下側着衣における前記下後身頃の横幅は、右下衽と右下前身頃との合計横幅と左下前身頃と左下衽との合計横幅との和よりも長くして形成するのが好ましい。
【考案の効果】
【００１７】
本考案のうち、請求項１に記載の考案によれば、二部式着物は、襟なしの上側着衣と巻きスカート状の下側着衣とで構成されており、特に、上側着衣は、左右の小袖に腕を通して着込み、右細紐と左細紐とを結んだ上で、右帯紐と左帯紐とを結ぶことで、家庭でも日常着として気軽に、かつ、簡単に着用することができる。また、洋服のＶネックのような襟なしとすることで、現代的などんな髪型にもマッチさせることができるほか、手持ちのアクセサリーで襟元のおしゃれを楽しむこともできる。また、上側着衣を襟なしとして形成したことにより、着用者の首回りをすっきりとさせることができる。
【００１８】
しかも、左細紐は、裾部の下縁から１４．０〜１６．０ｃｍ上方に位置する上後身頃との境界に位置する裏面側から引き出されているので、右上衽の裾部の開放端から引き出されている右細紐と結び合わせて着用した際に、左上身頃の裾部が右上身頃の裾部の下から出てしまうことを確実に防いで、誰もが簡単に美しい着姿を得ることができる。
【００１９】
また、上側着衣は、その表面側に右上衽から右上前身頃と上後身頃と左上前身頃とを経て左上衽へと至る帯状の裾部を備えているほか、右上前身頃と上後身頃との境界位置にある裾部から該裾部と同じ幅で引き出された右帯紐と、左上前身左上衽における裾部の開放端から該裾部と同じ比較的細い幅で引き出された左帯紐とを備えているので、その着用時に右帯紐と左帯紐との存在感がそれだけ希薄化することで上側着衣と下側着衣との一体感を高めてすっきりとした視覚印象を見る者に与えることができる。
【００２０】
請求項２に記載の考案によれば、右細紐と左細紐とは、ともに紐幅が１．３〜１．７ｃｍで、２７．０〜３２．０ｃｍの長さがあるので、着用者の体格に応じて右細紐と左細紐との結び具合を変えることにより着用時におけるゆとりの調整を行うことができる。また、右帯紐と左帯紐とは、ともに紐幅が３．０〜４．０ｃｍで、６５．０〜７５．０ｃｍの長さがあるので、好みにより着用者の右の腰側でゆったりと結んだり、しっかりと結んだりすることができるほか、腰回りを一周させて着用者の左の腰側でしっかり結んだりすることもでき、寸法の調整を行いながら結び方のおしゃれを楽しむこともできる。
【００２１】
請求項３に記載の考案によれば、上側着衣の右上前身頃と左上前身頃とは、それぞれの裾部に前下がり部が形成されているので、着用時における胸のふくらみ分を吸収することができるゆとり幅を得ることができ、着姿をそれだけ美しくすることができる。
【００２２】
請求項４に記載の考案によれば、上側着衣における上後身頃は、着用時に首回りが位置する上縁部にその周辺が見返しで裏打ちされた凹部を備えているので、襟をなくしても着用時における襟首回りの保形性を高めた状態のもとで首回りにフィットさせることができる。
【００２３】
請求項５に記載の考案によれば、下側着衣は、左下衽の縦寸方向での開放縁を下後身頃と右下前身頃との境界縁よりもやや下後身頃寄りに位置させ、かつ、その胴回り部に伸縮ギャザー部を備える巻きスカート形状となって形成されているので、スカートのように簡単に着用することができるほか、その着用時に左上衽と左下衽との間の整合性を高めつつ、一部式着物の着姿と同様な一体感を伴った着姿を得ることができる。
【００２４】
請求項６に記載の考案によれば、下側着衣における下後身頃の横幅は、右下衽と右下前身頃との合計横幅と左下前身頃と左下衽との合計横幅との和よりも長くして形成されているので、着用時における着用者のヒップの丸みを極く自然に包み込むことができる。
【図面の簡単な説明】
【００２５】
【図１】本考案の一例を示す正面図であり、そのうちの（ａ）は上側着衣を、（ｂ）は下側着衣をそれぞれ示す。
【図２】図１に示す例についての背面図であり、そのうちの（ａ）は上側着衣を、（ｂ）は下側着衣をそれぞれ示す。
【図３】図１に示す例につき、その一部を広げた状態で示す正面図であり、そのうちの（ａ）は上側着衣を、（ｂ）は下側着衣をそれぞれ示す。
【図４】表面を裏側にして裏面を表側とした状態での下側着衣の要部展開図。
【図５】本考案に係る襟なし二部式着物の着用例を具体的に示す説明図であり、そのうちの（ａ）は、着用者の右の腰側で右帯紐と左帯紐とをゆったりと結ぶ状態を、（ｂ）は、腰回りを一周させて着用者の左の腰側でしっかり結ぶ状態をそれぞれ示す。
【図６】本考案に係る襟なし二部式着物を着用した後の着姿例を示す説明図。
【考案を実施するための形態】
【００２６】
本考案に係る襟なし二部式着物１１の全体は、襟なしの右上前身頃１３、左上前身頃１４および上後身頃１５と、右上前身頃１５に付設された右上衽１６と、左上前身頃１４に付設された左上衽１７と、丸みを帯びた左右一対の小袖３１，３１とからなる上側着衣１２と、巻きスカート状の下側着衣３２との二分割構成のもとで図１（ａ），（ｂ）に示すようにして形成されている。
【００２７】
このうち、襟なしで曲線を取り入れた立体裁断により形成される上側着衣１２は、その下縁部側に図１（ａ）および図２（ａ）に示されているように右上衽１６から右上前身頃１３と上後身頃１５と左上前身頃１４とを経て左上衽１７へと至る適宜幅の帯状に付設された裾部１８を備えて形成されている。なお、上側着衣１２における右上衽１６を含む右上前身頃１３の裏面１２ｂ縦方向での側縁部と左上衽１７を含む左上前身頃１４の裏面１２ｂ縦方向での側縁部とには、図３（ａ）に示されているように補強のために裏打ち部３１がそれぞれ付設されている。
【００２８】
また、右上前身頃１３は、上後身頃１５との境界位置にある裾部１８から該裾部１８と同じ幅で表面１２ａ側の右上衽１６方向へと引き出された適宜長さの右帯紐１９と、右上衽１６における裾部１８の長さ方向での開放端２０から左上衽１７方向へと引き出された適宜長さの右細紐２１とを備えている。
【００２９】
さらに、左上前身頃１４は、左上衽１６における裾部１８の長さ方向での開放端２２から該裾部１８と同じ幅で右帯紐１９方向へと引き出されて着用時に該右帯紐１９と結ばれる適宜長さの左帯紐２３と、図３（ａ）に示されているように裾部１８の下縁１８ａから１４．０〜１６．０ｃｍ上方に位置する上後身頃１５との境界に位置する裏面１２ｂ側から右細紐２１方向に引き出されて着用時に該右細紐２１と結ばれる適宜長さの左細紐２４とを備えている。
【００３０】
この場合、右帯紐１９と左帯紐２３とは、ともに紐幅が３．０〜４．０ｃｍ、好ましくは３．５〜３．８ｃｍで、６５．０〜７５．０ｃｍ、好ましくは６７．０〜６９．０ｃｍの長さが付与されて、右細紐２１と左細紐２４とは、ともに紐幅が１．３〜１．７ｃｍ、好ましくは１．４〜１．６ｃｍで、２７．０〜３２．０ｃｍ、好ましくは２９．０〜３１．０ｃｍの長さが付与されて配設されている。
【００３１】
さらに、上側着衣１２における右上前身頃１３と左上前身頃１４とは、裾部１８をそれぞれの長さ方向での開放端２０，２２側に向けて前傾させた前下がり部２５，２６を形成して、着用時における右上前身頃１３と左上前身頃１４とにゆとり幅が付与されて形成されている。
【００３２】
また、上側着衣１２における上後身頃１５は、着用時に首回りが位置する上縁部２７の周辺を見返し２８で裏打ちすることで保形性が高められている凹部２９が設けられている。
【００３３】
一方、下側着衣３２は、図４に示すように表面３２ａを裏側にして裏面３２ｂを表側として展開した際に、その中央部に位置する下後身頃３３と、該下後身頃３３の左方に位置する右下前身頃３４と、下後身頃３３の右方に位置する左下前身頃３５と、右下前身頃３４の左方に位置する右下衽３６と、左下前身頃３５の右方に位置する左下衽３７と備えて形成されている。なお、下側着衣３２は、裏地付きタイプと裏地なしタイプとのいずれであってもよい。また、裁断は、裾すぼまりとすることで、着用時に裾が広がった感じにならないようにしてある。
【００３４】
しかも、下側着衣３２は、図１（ｂ）、図２（ｂ）および図３（ｂ）からも明らかなように、左下衽３７の縦寸側の開放縁３７ａが下後身頃３３と右下前身頃３４との境界位置よりもやや下後身頃３３寄りの縦寸方向に沿うように位置する巻きスカート形状の維持を可能とすべく、その胴回り部３８にゴム材３９を縫い付けて形成された伸縮ギャザー部４０を備えている。
【００３５】
この場合、下側着衣３２における下後身頃３３の横幅Ｗ１は、図４に示されているように着用時における着用者Ｈのヒップの丸みを極く自然に包み込むことができるように、右下衽３６と右下前身頃３４との合計横幅Ｗ２と左下前身頃３５と左下衽３７との合計横幅Ｗ３との和よりも長くして形成しておくのが好ましい。なお、下側着衣３２における下後身頃３３は、中心位置を境界にして左右等分に二分割されており、右下衽３６と右下前身頃３４とは、左下前身頃３５および左下衽３７と対となった同一寸法となっている。
【００３６】
本考案は、このようにして構成されているので、その着用は、以下の手順を踏んで行われることになる。すなわち、下側着衣３２が巻きスカート形状を呈して形成されているので、着用者Ｈは、伸縮ギャザー部４０を両手で引き延ばしながらスカートをはくようにして着用する。
【００３７】
この場合、下側着衣３２は、左下衽３７の縦寸側の開放縁３７ａが下後身頃３３と右下前身頃３４との境界位置よりもやや下後身頃３３寄りの縦寸方向に沿うように位置する配置関係にあるので、図５（ａ），（ｂ）にも示されているように、左下衽３７の開放縁３７ａが着用者Ｈの右腰の位置にくるようにして着用されることになる。
【００３８】
下側着衣３２の着用を終えた着用者Ｈは、次いで、例えば図３（ａ）に示すように上側着衣１２の右上前身頃１３側と左上前身頃１４側とを広げた状態にした上で、左の小袖３０には左腕を、右の小袖３０には右腕をそれぞれ通すことで、上側着衣１２を図１（ａ）に示す状態のもとで下側着衣３２の伸縮ギャザー部４０を上から覆うようにして着込むことができる。
【００３９】
このようにして上側着衣１２を着込んだ後の着用者Ｈは、左上前身頃１４が右上前身頃１３の上に位置するように打ち合わせを行った上で、まず右細紐２１と左細紐２４とを結び合わせることになるが、このとき、比較的強く引き合って結び合わせたり、比較的緩く引き合って結び合わせたりすることで、着用時におけるゆとりの調整ができることになる。
【００４０】
右細紐２１と左細紐２４とを結び合わせた後の着用者Ｈは、右帯紐１９と左帯紐２３とを結び合わせることになるが、右帯紐１９と左帯紐２３とがともに６５．０〜７５．０ｃｍの長さがある場合には、好みにより図５（ａ）に示すように着用者Ｈの右腰側でゆったりと結んだり、しっかりと結んだりすることができるほか、図５（ｂ）に示すように腰回りを一周させて着用者Ｈの左腰側でしっかり結んだりすることができる。
【００４１】
このため、下側着衣３２と上側着衣１２との着用を終えた後の着姿は、例えば図６にも示されているように、上側着衣１２の左上衽１７のラインと下側着衣３２の左下衽３７とのラインとがあたかも一体となっているようにして二部式着物１１を着こなすことができることになる。
【００４２】
このため、本考案によれば、二部式着物１１が襟なしの上側着衣１２と巻きスカート状の下側着衣３２とで構成されており、特に、上側着衣１２は、左右の小袖３０に腕を通して着込み、右細紐２１と左細紐２４とを結んだ上で、右帯紐１９と左帯紐２３とを結ぶことで、家庭でも日常着として気軽に、かつ、簡単に着用することができる。また、洋服のＶネックのような襟なしとすることで、現代的などんな髪型にもマッチさせることができるほか、手持ちのアクセサリーで襟元のおしゃれを楽しむこともできる。また、上側着衣１２を襟なしとして形成したことにより、着用者Ｈの首回りをすっきりとさせることができる。
【００４３】
しかも、左細紐２４は、裾部１８の下縁１８ａから１４．０〜１６．０ｃｍ上方に位置する上後身頃１５との境界に位置する裏面１２ｂ側から引き出されているので、右上衽１６の裾部１８の開放端２０から引き出されている右細紐２１と結び合わせて着用した際に、左上身頃１４の裾部１８が右上身頃１３の裾部１８の下から出てしまうことを確実に防いで、誰もが簡単に美しい着姿を得ることができる。しかも、上記位置にある左細紐２４と右細紐２１と結び合わせた際には、図６に示すように本来は襟が位置するラインをきれいに出すことができ、結果として美しい着姿を得ることができることになる。
【００４４】
また、上側着衣１２は、その表面１２ａ側に右上衽１６から右上前身頃１３と上後身頃１５と左上前身頃１４とを経て左上衽１７へと至る帯状の裾部１８を備えているほか、右上前身頃１３と上後身頃１５との境界位置にある裾部１８から該裾部１８と同じ幅で引き出された右帯紐１９と、左上衽１７における裾部１８の開放端２２から該裾部１８と同じ比較的細い幅で引き出された左帯紐２３とを備えているので、その着用時に右帯紐１９と左帯紐２３との存在感がそれだけ希薄化することで上側着衣１２と下側着衣３２との一体感を高めてすっきりとした視覚印象を見る者に与えることができる。
【００４５】
また、右細紐２１と左細紐２４とがともに紐幅が１．３〜１．７ｃｍで、２７．０〜３２．０ｃｍの長さがある場合には、着用者Ｈの体格に応じて右細紐２１と左細紐２４との結び具合を変えることにより着用時におけるゆとりの調整を行うことができる。また、右帯紐１９と左帯紐２３とがともに紐幅が３．０〜４．０ｃｍで、６５．０〜７５．０ｃｍの長さがある場合には、好みにより着用者Ｈの右腰側でゆったりと結んだり、しっかりと結んだりすることができるほか、腰回りを一周させて着用者Ｈの左腰側でしっかり結んだりすることもでき、寸法の調整を行いながら結び方のおしゃれを楽しむこともできる。
【００４６】
また、上側着衣１２の右上前身頃１３と左上前身頃１４とのそれぞれの裾部１８に前下がり部２５，２６が形成されている場合には、着用時における胸のふくらみ分を吸収することができるゆとり幅を得ることができ、着姿をそれだけ美しくすることができる。
【００４７】
また、上側着衣１２の上後身頃１５にあって着用時に首回りが位置する上縁部２７にその周辺が見返し２８で裏打ちされた凹部２９を備えている場合には、襟をなくしても着用時における襟首回りの保形性を高めた状態のもとで首回りにフィットさせることができる。
【００４８】
また、左下衽３７の縦寸方向での開放縁３７ａを下後身頃３３と右下前身頃３４との境界位置よりもやや下後身頃３３寄りに位置させ、かつ、その胴回り部３８に伸縮ギャザー部４０を備える巻きスカート形状となって下側着衣３２が形成されている場合には、スカートのように簡単に着用することができるほか、その着用時に例えば図６に示すように左上衽１７と左下衽３７との間の整合性を高めつつ、一部式着物の着姿と同様な一体感を伴った着姿を得ることができる。
【００４９】
また、図４に示すように下側着衣３２における下後身頃３３の横幅Ｗ１が右下衽３６と右下前身頃３４との合計横幅Ｗ２と左下前身頃３５と左下衽３７との合計横幅Ｗ３との和よりも長くして形成されている場合には、着用時における着用者Ｈのヒップの丸みを極く自然に包み込むことができる。
【符号の説明】
【００５０】
１１  二部式着物
１２  上側着衣
１２ａ  表面
１２ｂ  裏面
１３  右上前身頃
１４  左上前身頃
１５  上後身頃
１６  右上衽
１７  左上衽
１８  裾部
１８ａ  下縁
１９  右帯紐
２０  開放端
２１  右細紐
２２  開放端
２３  左帯紐
２４  左細紐
２５，２６  前下がり部
２７  上縁部
２９  見返し
２９  凹部
３０  小袖
３１  裏打ち部
３２  下側着衣
３２ａ  表面
３２ｂ  裏面
３３  下後身頃
３４  右下前身頃
３５  左下前身頃
３６  右下衽
３７  左下衽
３８  胴回り部
３９  ゴム材
４０  伸縮ギャザー部
Ｈ  着用者
【図１】
0003173378.tif 000003
【図２】
0003173378.tif 000004
【図３】
0003173378.tif 000005
【図４】
0003173378.tif 000006
【図５】
0003173378.tif 000007
【図６】
0003173378.tif 000008